Podtech/llm-jp-corpus-v4-ja_patent huggingface dataset:
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
被合成画像を特定するための情報と合成画像とを含むシートを読取装置により読み取らせることにより、前記合成画像を前記被合成画像に合成する画像合成装置であって、
前記被合成画像を解析する解析手段と、
前記解析手段による解析結果に応じて、前記被合成画像と区別可能にするための前記合成画像への着色方法を決定する決定手段と、
前記合成画像を前記決定手段で決定した着色方法で着色し、前記被合成画像に合成する合成手段と、
を有することを特徴とする画像合成装置。
【請求項２】
被合成画像を特定するための情報と、着色方法を指定するための記入欄とを含むシートを印刷装置に印刷させる印刷制御手段を有し、
前記合成手段は、読取装置が合成画像を含む前記シートを読み取った結果に基づき合成することを特徴とする請求項１に記載の画像合成装置。
【請求項３】
前記印刷制御手段は、複数の着色方法に対応した複数の記入欄のうち前記決定手段により決定された着色方法に対応した記入欄を区別可能に印刷させることを特徴とする請求項２に記載の画像合成装置。
【請求項４】
前記シートを前記読取装置が読み取った結果に基づき指定された着色方法を判定する判定手段を有し、
前記合成手段は、前記判定手段により前記決定手段が決定した着色方法とは異なる着色方法が指定されたと判定された場合であっても、前記決定手段が決定した着色方法によって着色することを特徴とする請求項３に記載の画像合成装置。
【請求項５】
前記判定手段により、前記決定手段が決定した着色方法とは異なる着色方法が指定されたと判定された場合、ユーザに通知する通知手段を有することを特徴とする請求項４に記載の画像合成装置。
【請求項６】
前記印刷制御手段は、複数の前記着色方法のうち前記決定手段により決定された着色方法に対応した記入欄を印刷させることを特徴とする請求項２に記載の画像合成装置。
【請求項７】
前記決定手段は、合成画像の着色する領域を示す合成方法を決定することを特徴とする請求項１乃至請求項６のいずれか１項に記載の画像合成装置。
【請求項８】
前記決定手段は、合成画像の着色する色を決定することを特徴とする請求項１乃至請求項７のいずれか１項に記載の画像合成装置。
【請求項９】
被合成画像を特定するための情報と合成画像とを含むシートを読取装置により読み取らせることにより、前記合成画像を前記被合成画像に合成する画像合成装置の制御方法であって、
前記被合成画像を解析する解析工程と、
前記解析工程における解析結果に応じて、前記被合成画像と区別可能にするための前記合成画像への着色方法を決定する決定工程と、
前記合成画像を前記決定工程で決定した着色方法で着色し、前記被合成画像に合成する合成工程と、
を有することを特徴とする画像合成装置の制御方法。
【請求項１０】
請求項９に記載の制御方法をコンピュータに実行させるためのプログラム。
【手続補正２】
【補正対象書類名】明細書
【補正対象項目名】００１４
【補正方法】変更
【補正の内容】
【００１４】
本発明は、被合成画像を特定するための情報と合成画像とを含むシートを読取装置により読み取らせることにより、前記合成画像を前記被合成画像に合成する画像合成装置であって、前記被合成画像を解析する解析手段と、前記解析手段による解析結果に応じて、前記被合成画像と区別可能にするための前記合成画像への着色方法を決定する決定手段と、前記合成画像を前記決定手段で決定した着色方法で着色し、前記被合成画像に合成する合成手段とを有することを特徴とする画像合成装置である。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
第１の色空間の色データを第２の色空間の色データに変換する変換手段と、
前記変換手段により変換される色データの変換精度のレベルが第１のレベルである第１のモードにおいて前記第１の色空間の色データを変換して、前記第２の色空間における第１の色数の色データを出力し、前記変換精度のレベルが前記第１のレベルより高い第２のレベルである第２のモードにおいて前記第１の色空間の色データを変換して、前記第２の色空間における前記第１の色数より少ない第２の色数の色データを出力するように前記変換手段を設定する設定手段と、
を備えることを特徴とする色データ変換装置。
【請求項２】
前記変換手段は、
第１の格子点データと、当該第１の格子点データを読み出すためのアドレスと、を対応付けた第１のルックアップテーブルと、
第２の格子点データと、当該第２の格子点データを読み出すためのアドレスと、を対応付けた第２のルックアップテーブルと、
前記第１の色空間の色データの入力信号を所定のビット数のビットデータとし、当該ビットデータの上位ビットから、前記第１の格子点データを前記第１のルックアップテーブルから読み出すためのアドレスと、前記第２の格子点データを前記第２のルックアップテーブルから読み出すためのアドレスとを生成するアドレス生成手段と、
前記ビットデータの下位ビットから、前記第１の格子点データを補間するための補間係数と、前記第２の格子点データを補間するための補間係数とを生成する係数生成手段と、
前記第１のルックアップテーブルから前記アドレス生成手段により生成されたアドレスにより読み出された前記第１の格子点データと前記補間係数とにより当該第１の格子点データを補間するための第１の補間演算を行い、第１の補間データを出力する第１の補間演算手段と、
前記第２のルックアップテーブルから前記アドレス生成手段により生成されたアドレスにより読み出された前記第２の格子点データと前記補間係数とにより当該第２の格子点データを補間するための第２の補間演算を行い、第２の補間データを出力する第２の補間演算手段と、
前記第１の補間演算手段により出力された前記第１の補間データを、予め定められたビット数、シフトさせるシフト手段と、
前記シフト手段により予め定められたビット数シフトされた前記第１の補間データと前記第２の補間演算手段により出力された前記第２の補間データとを加算する加算手段と、
を備えることを特徴とする請求項１に記載の色データ変換装置。
【請求項３】
前記変換手段は、
前記第１のモードにおいて、前記第１の補間演算手段により出力された前記第１の補間データと、前記第２の補間演算手段により出力された前記第２の補間データとを出力し、
前記第２のモードにおいて、前記加算手段により加算された加算データを出力することを特徴とする請求項２に記載の色データ変換装置。
【請求項４】
前記第１のルックアップテーブルには、前記第２の色空間の格子点データの下位ビットのデータが前記第１の格子点データとして格納され、
前記第２のルックアップテーブルには、前記第２の色空間の格子点データの上位ビットのデータが前記第２の格子点データとして格納されることを特徴とする請求項２または３に記載の色データ変換装置。
【請求項５】
前記第１の色空間の色データが表わす画像には、前記第１のモードで処理される画像の領域と前記第２のモードで処理される画像の領域とが含まれ、
前記設定手段は、前記領域ごとに前記第１のモードと前記第２のモードとのいずれかを前記変換手段に設定することを特徴とする請求項１乃至４のいずれか１項に記載の色データ変換装置。
【請求項６】
第１の色空間の色データを第２の色空間の色データに変換する変換手段を有する色データ変換装置における色データ変換方法であって、
設定手段が、変換される色データの変換精度のレベルが第１のレベルである第１のモードにおいて前記第１の色空間の色データを変換して前記第２の色空間における第１の色数の色データを出力し、前記変換精度のレベルが前記第１のレベルより高い第２のレベルである第２のモードにおいて前記第１の色空間の色データを変換して前記第２の色空間における前記第１の色数より少ない第２の色数の色データを出力するように前記変換手段を設定する設定工程と、
前記変換手段が、前記設定工程での設定に従い前記第１のモードにおいて前記第１の色数の前記第２の色空間の色データを出力し、前記第２のモードにおいて、前記第２の色数の前記第２の色空間の色データを出力する出力工程と
を有することを特徴とする色データ変換方法。
【手続補正２】
【補正対象書類名】明細書
【補正対象項目名】発明の名称
【補正方法】変更
【補正の内容】
【発明の名称】色データ変換装置及び方法
【手続補正３】
【補正対象書類名】明細書
【補正対象項目名】００１０
【補正方法】変更
【補正の内容】
【００１０】
上記の目的を達成するべく、本発明に係る色データ変換装置は、第１の色空間の色データを第２の色空間の色データに変換する変換手段と、
前記変換手段により変換される色データの変換精度のレベルが第１のレベルである第１のモードにおいて前記第１の色空間の色データを変換して、前記第２の色空間における第１の色数の色データを出力し、前記変換精度のレベルが前記第１のレベルより高い第２のレベルである第２のモードにおいて前記第１の色空間の色データを変換して、前記第２の色空間における前記第１の色数より少ない第２の色数の色データを出力するように前記変換手段を設定する設定手段と、を備えることを特徴とする。
【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
複数枚の固体撮像素子を有し、
前記複数枚の固体撮像素子のうち少なくとも１枚以上の固体撮像素子に画素ずらし機構を備えた
ことを特徴とする高速撮影装置。
【請求項２】
４枚の固体撮像素子を有し、
前記４枚の固体撮像素子のうち、何れか２枚の固体撮像素子に画素ずらし機構を備えたことを特徴とする高速撮影装置。
【請求項３】
前記各固体撮像素子の撮影タイミングを制御するタイミング制御部を更に備えた請求項１又は２に記載の高速撮影装置。
【請求項４】
前記画素ずらし機構がピエゾ素子を用いたものである請求項１〜３のいずれかに記載の高速撮影装置。
【手続補正２】
【補正対象書類名】明細書
【補正対象項目名】０００８
【補正方法】変更
【補正の内容】
【０００８】
上述したような課題を解決するために成された本発明に係る高速撮影装置は、複数枚の固体撮像素子を有し、前記複数枚の固体撮像素子のうち少なくとも１枚以上の固体撮像素子に画素ずらし機構を備えたことを特徴とする。
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
半導体ウエハを載せて保持するための複数のウエハ載置トレイが重ね合わされて、上記ウエハ載置トレイに載せられた半導体ウエハがそのウエハ載置トレイとその上側に隣接して重ね合わされたウエハ載置トレイとの間に形成される内側空間内に収納された状態になる構成を有し、
上記ウエハ載置トレイ上面の半導体ウエハ載置位置に弾力性のあるウエハ載置クッションシートが配置され、そのウエハ載置クッションシートは、弾力的なクッションとして機能する上側のクッション機能層と、上記ウエハ載置トレイの上面に対して着脱自在に吸着される着脱自在吸着面を有する下側の吸着機能層とを積層一体化して形成され、
その着脱自在吸着面は多数の微細吸盤により形成されていて、その微細吸盤を上記ウエハ載置トレイの上面に押し付けることにより、その微細吸盤と上記ウエハ載置トレイの上面とが吸着固定された状態になることを特徴とするクッションシート付ウエハ収納容器。
【請求項２】
上記ウエハ載置クッションシートは上記半導体ウエハの略全面を載せられる大きさに形成されていて、そのウエハ載置クッションシートの裏面側の一部又は全面に上記着脱自在吸着面が形成されている請求項１記載のクッションシート付ウエハ収納容器。
【請求項３】
上記複数のウエハ載置トレイを互いに重ね合わされた状態で任意の重ね合わせ位置において解除自在に結合するためのトレイ結合機構が設けられている請求項１又は２記載のクッションシート付ウエハ収納容器。
【請求項４】
上記半導体ウエハを上記ウエハ載置クッションシートに対して押し付けるための弾力性のあるウエハ押付クッションシートが上記ウエハ載置トレイの裏面側に配置されている請求項１ないし３のいずれかの項に記載のクッションシート付ウエハ収納容器。
【請求項５】
上記ウエハ押付クッションシートは、弾力的なクッションとして機能する下側のクッション機能層と、上記ウエハ載置トレイの裏面に対して着脱自在に吸着される着脱自在吸着面を有する上側の吸着機能層とを積層一体化して形成されている請求項４記載のクッションシート付ウエハ収納容器。
【請求項６】
上記ウエハ載置クッションシートの上記半導体ウエハに接触する側の面に、上記半導体ウエハに対して着脱自在に吸着される着脱自在吸着面を有する吸着機能層が上記クッション機能層と積層一体化して形成されている請求項１ないし５のいずれかの項に記載のクッションシート付ウエハ収納容器。
【請求項７】
上記半導体ウエハに対する上記ウエハ載置クッションシートの吸着力が、上記ウエハ載置トレイに対する上記ウエハ載置クッションシートの吸着力より小さく設定されている請求項６記載のクッションシート付ウエハ収納容器。
【請求項８】
上記微細吸盤の平均直径が１０μｍ〜５０μｍの範囲に形成されている請求項１ないし７のいずれかの項に記載のクッションシート付ウエハ収納容器。
【請求項９】
上記微細吸盤が、連続気泡型又は独立気泡型の発泡体の気泡が外気に開口した状態のもので形成されている請求項８記載のクッションシート付ウエハ収納容器。
【請求項１０】
上記微細吸盤が、発泡エラストマー系高分子材料、発泡ゴム系高分子材料又は発泡ウレタン系高分子材料で形成されている請求項８又は９記載のクッションシート付ウエハ収納容器。
【請求項１１】
上記発泡ゴム系高分子材料がアクリル酸エステル共重合体からなる発泡アクリルラテックスである請求項１０記載のクッションシート付ウエハ収納容器。
【請求項１２】
上記ウエハ載置クッションシート又は上記ウエハ押付クッションシートが、上記着脱自在吸着面を有する吸着機能層と弾力的なクッションとして機能するクッション機能層とを一体に積層して構成されている請求項１ないし１１のいずれかの項に記載のクッションシート付ウエハ収納容器。
【請求項１３】
上記クッション機能層が、弾力性を有するエラストマー系高分子材料又は発泡高分子材料により形成されている請求項１２記載のクッションシート付ウエハ収納容器。
【請求項１４】
上記ウエハ載置クッションシート及び上記ウエハ押付クッションシートの双方又は一方の電気的な表面抵抗が１０8〜１０10Ωの範囲にある請求項４ないし１３のいずれかの項に記載のクッションシート付ウエハ収納容器。
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
基板と、該基板の上に設けられ光を発する発光領域を有する発光素子と、前記基板の上に設けられ前記発光素子から出射し反射試料で反射した光を受光する受光領域を有する受光素子と、前記発光素子及び前記受光素子を覆う透光性の部材とを有する反射型センサにおいて、前記受光領域は前記発光素子から出射し前記透光性の部材と外界との境界面で全反射した光が照射する領域よりも前記発光素子に近い位置に設けられていることを特徴とする反射型センサ。
【請求項２】
前記受光領域は扇形又は円弧状に形成されていることを特徴とする請求項１に記載の反射型センサ。
【請求項３】
前記発光領域と前記境界面との距離が前記受光領域と前記境界面との距離よりも小さくなるように前記透光性の部材が形成されていることを特徴とする請求項１又は請求項２に記載の反射型センサ。
【請求項４】
前記透光性の部材は、前記発光素子及び前記受光素子を覆う封止樹脂と、前記封止樹脂の上に形成されている透明ガラスとを有し、前記封止樹脂と前記透明ガラスは屈折率がほぼ同じ値であることを特徴とする請求項１〜３の何れか１つの請求項に記載の反射型センサ。
【請求項５】
前記発光素子は電流狭窄構造のＬＥＤであることを特徴とする請求項１〜４の何れか１つの請求項に記載の反射型センサ。
【請求項６】
基板と、該基板の上に設けられ光を発する発光領域を有する発光素子と、前記基板の上に設けられ前記発光素子から出射し反射試料で反射した光を受光する受光領域を有する受光素子と、前記発光素子及び前記受光素子を覆い外界との境界面を有する透光性の部材とを有する反射型センサにおいて、前記透光性の部材の屈折率をＮｉ、前記外界の媒質の屈折率をＮｏ、前記発光領域と前記境界面との距離をＤ１、前記受光領域と前記境界面との距離をＤ２とするとき、
Ｒ＝Ｄ１・tan{sin-1(Ｎｏ／Ｎｉ)}＋Ｄ２・tan{sin-1(Ｎｏ／Ｎｉ)}
上記式で決定される半径Ｒの前記発光領域を中心とする円の内側に、前記受光領域が配置されていることを特徴とする反射型センサ。
【手続補正２】
【補正対象書類名】明細書
【補正対象項目名】００２２
【補正方法】変更
【補正の内容】
【００２２】
上記目的を達成するための本発明に係る反射型センサの技術的特徴は、基板と、該基板の上に設けられ光を発する発光領域を有する発光素子と、前記基板の上に設けられ前記発光素子から出射し反射試料で反射した光を受光する受光領域を有する受光素子と、前記発光素子及び前記受光素子を覆う透光性の部材とを有する反射型センサにおいて、前記受光領域は前記発光素子から出射し前記透光性の部材と外界との境界面で全反射した光が照射する領域よりも前記発光素子に近い位置に設けられていることにある。
【手続補正３】
【補正対象書類名】明細書
【補正対象項目名】００２３
【補正方法】変更
【補正の内容】
【００２３】
また、本発明に係る反射型センサの技術的特徴は、基板と、該基板の上に設けられ光を発する発光領域を有する発光素子と、前記基板の上に設けられ前記発光素子から出射し反射試料で反射した光を受光する受光領域を有する受光素子と、前記発光素子及び前記受光素子を覆い外界との境界面を有する透光性の部材とを有する反射型センサにおいて、前記透光性の部材の屈折率をＮｉ、前記外界の媒質の屈折率をＮｏ、前記発光領域と前記境界面との距離をＤ１、前記受光領域と前記境界面との距離をＤ２とするとき、
Ｒ＝Ｄ１・tan{sin-1(Ｎｏ／Ｎｉ)}＋Ｄ２・tan{sin-1(Ｎｏ／Ｎｉ)}
上記式で決定される半径Ｒの前記発光領域を中心とする円の内側に、前記受光領域が配置されていることにある。
【手続補正４】
【補正対象書類名】明細書
【補正対象項目名】００３２
【補正方法】変更
【補正の内容】
【００３２】
反射スケール２１は図２に示すように、パターン形成シート３１と反射層形成シート３２から構成されている。パターン形成シート３１は例えば工業用写真製版フィルム用の透明なＰＥＴフィルムであって、０．１〜０．２ｍｍ程度の厚みを有し、工業用写真製版フィルムの乳剤層により露光・現像工程を経て必要なパターンが形成されている。パターン形成シート３１の基材部３１ａ上には、光吸収部分の非反射部３１ｂと光線透過部３１ｃから成るパターンが交互に設けられている。
【手続補正５】
【補正対象書類名】明細書
【補正対象項目名】００５５
【補正方法】変更
【補正の内容】
【００５５】
受光領域Ｓ２の配置条件をパッケージ主要寸法から数式化する。図７における封止樹脂５１の媒質の屈折率をＮｉ、パッケージ外界の屈折率をＮｏ、発光領域Ｓ１から境界面５３までの距離をＤ１、受光領域Ｓ２から境界面５３までの距離をＤ２、全反射領域の半径をＲmaxとする。半径Ｒmaxは式（１）のように、境界面５３において臨界角を超えて反射する全反射光線が、照射する位置を発光領域Ｓ１の基準とした半径位置で決定される。
Ｒmax＝Ｄ１・tan{sin-1(Ｎｏ／Ｎｉ)}＋Ｄ２・tan{sin-1(Ｎｏ／Ｎｉ)}
・・・（１）
【手続補正６】
【補正対象書類名】図面
【補正対象項目名】図７
【補正方法】変更
【補正の内容】
【図７】
2008028025.tif 000001
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
第１の記録媒体に情報を記録再生する第１の記録再生部と第２の記録媒体に情報を記録再生する第２の記録再生部とを有する記録再生装置であって、
前記第２の記録再生部が前記第２の記録媒体にアクセス中は、前記第１の記録媒体の取り出しを禁止する取り出し監視部を有する記録再生装置。
【請求項２】
請求項１の記録再生装置であって、
前記第１の記録再生部は前記第１の記録媒体を取り出すときに開く蓋部を有し、
前記取り出し監視部は、前記蓋部が開くことを禁止することで前記第１の記録媒体の取り出しを禁止する記録再生装置。
【請求項３】
請求項２の記録再生装置であって、
前記第２の記録再生部は前記蓋部に配置されている記録再生装置。
【請求項４】
請求項１から３のいずれかの記録再生装置であって、
前記取り出し監視部は、操作部でユーザーからの記録媒体の取り出し指示を無視することで記録媒体の取り出しを禁止する記録再生装置。
【請求項５】
請求項１から４のいずれかの記録再生装置であって、
前記アクセス中とは、操作部でユーザーの記録開始指示を受けてから記録停止指示を受け、データを全て記録媒体に記録するまでの期間である記録再生装置。
【請求項６】
請求項１から５のいずれかの記録再生装置であって、
前記取り出し監視部は、記録媒体の取り出しを禁止するとき、表示部にメッセージを表示する記録再生装置。
【請求項７】
請求項１から６のいずれかの記録再生装置であって、
前記第２の記録部は、ハードディスクドライブである記録再生装置。
【請求項８】
第１の記録媒体に情報を記録再生する第１の記録再生部と第２の記録媒体に情報を記録再生する第２の記録再生部と、前記第１の記録媒体を取り出すときに開く蓋部を有する記録再生装置であって、
前記蓋部が開いている場合は、前記第２の記録再生部が前記第２の記録媒体へのアクセスを禁止する、蓋開監視部を有する記録再生装置。
【請求項９】
請求項８の記録再生装置であって、
前記第２の記録部は前記蓋部に配置されている記録再生装置。
【請求項１０】
請求項８又は９の記録再生装置であって、
前記蓋開監視部は、操作部でユーザーからの記録再生およびダビング指示を無視することで記録媒体へのアクセスを禁止する記録再生装置。
【請求項１１】
請求項８から１０のいずれかの記録再生装置であって、
前記蓋開監視部は、記録媒体へのアクセスを禁止するとき、表示部にメッセージを表示する記録再生装置。
【請求項１２】
請求項８から１１のいずれかの記録再生装置であって、
前記第２の記録部は、ハードディスクドライブである記録再生装置。
【請求項１３】
第１の記録媒体に情報を読み書きする第１の記録部と第２の記録媒体に情報を読み書きする第２の記録部とを有する装置の制御方法であって、
前記第２の記録媒体から前記第１の記録媒体への情報のダビングモードのとき、前記第２の記録部が前記第２の記録媒体にアクセス中は、前記第１の記録媒体の取り出しを禁止し、前記第２の記録部が前記第２の記録媒体に非アクセス中は前記第１の記録媒体の取り出しを許可し、
前記第２の記録媒体から前記第１の記録媒体への情報のダビングモードでないとき、前記第１の記録媒体の取り出しを禁止する制御方法。
【請求項１４】
請求項１３の制御方法であって、
情報を前記第２の記録部に記録する記録モードのとき、前記第１の記録媒体の取り出しを禁止する。
【請求項１５】
請求項１３の制御方法であって、
情報を前記第２の記録部から再生する再生モードのとき、前記第１の記録媒体の取り出しを禁止する。
【請求項１６】
請求項１３の制御方法であって、
前記アクセス中は、ダビングモードにおいてダビング開始してから当該開始したダビングの完了までの期間である。
【請求項１７】
第１の記録媒体に情報を読み書きする第１の記録部と、
第２の記録媒体に情報を読み書きする第２の記録部と、
前記第２の記録媒体から前記第１の記録媒体への情報のダビングモードのとき、前記第２の記録部が前記第２の記録媒体にアクセス中は、前記第１の記録媒体の取り出しを禁止し、且つ、前記第２の記録部が前記第２の記録媒体に非アクセス中は前記第１の記録媒体の取り出しを許可し、
前記第２の記録媒体から前記第１の記録媒体への情報のダビングモードでないとき、前記第１の記録媒体の取り出しを禁止する制御部とを有する記録装置。
【請求項１８】
第１の記録媒体に情報を読み書きする第１の記録部と第２の記録媒体に情報を読み書きする第２の記録部とを有する装置の制御方法であって、
前記第２の記録部が前記第２の記録媒体にアクセス中、前記第２の記録媒体に情報を記録しているとき、前記第１の記録媒体の取り出しを禁止し、
前記第２の記録部が前記第２の記録媒体にアクセス中、前記第２の記録媒体から情報を再生しているとき、前記第１の記録媒体の取り出しを許可する制御方法。
【請求項１９】
請求項１８の制御方法であって、
前記第１の記録媒体の取り出しを許可するとき、前記第２の記録媒体からの情報の再生を停止する制御方法。
【請求項２０】
請求項１８の制御方法であって、
前記第１の記録媒体の取り出しを許可するとき、前記第１の記録媒体を取り出してよいかの確認メッセージを出力する制御方法。
【手続補正２】
【補正対象書類名】明細書
【補正対象項目名】０００８
【補正方法】変更
【補正の内容】
【０００８】
そこで例えば、本発明では一例として、特許請求の範囲に記載された構成を提供する。
【手続補正３】
【補正対象書類名】明細書
【補正対象項目名】発明の名称
【補正方法】変更
【補正の内容】
【発明の名称】記録再生装置、制御方法
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
被写体からの光に応じて画像信号を出力する画像信号出力手段と、
フォーカスレンズを移動させるフォーカスレンズ制御手段と、
前記画像信号出力手段からの画像信号に基づく画像を記憶する記憶手段と、
前記フォーカスレンズ制御手段により前記フォーカスレンズを予め決められた範囲移動させることで異なる距離にフォーカスを合わせた複数の画像を取得して前記記憶手段に記憶する記憶動作を周期的に繰り返すとともに、当該記憶してある複数の画像の１周期分から第１の被写体にフォーカスを合わせた画像又は第２の被写体にフォーカスを合わせた画像を１フレームとして抽出する抽出手段とを有することを特徴とする撮像装置。
【請求項２】
前記抽出手段は、第１の被写体にフォーカスを合わせた画像と第２の被写体にフォーカスを合わせた画像とを合成した合成画像を取得する合成手段を含むことを特徴とする請求項１記載の撮像装置。
【請求項３】
前記１フレームとして抽出した画像を並べることにより動画像として取得する動画像構築手段を備えることを特徴とする請求項１又は２記載の撮像装置。
【請求項４】
前記動画像を再生する再生手段を備えることを特徴とする請求項３記載の撮像装置。
【請求項５】
被写体からの光に応じて画像信号を出力する画像信号出力ステップと、フォーカスレンズを移動させるフォーカスレンズ制御ステップと、前記画像信号出力ステップから出力された画像信号に基づく画像を記憶する記憶ステップとを用いて画像を取得する撮像方法であって、
前記フォーカスレンズ制御ステップにより前記フォーカスレンズを予め決められた範囲移動させることで異なる距離にフォーカスを合わせた複数の画像を取得して前記記憶ステップで記憶する記憶動作を周期的に繰り返すとともに、当該記憶してある複数の画像の１周期分から第１の被写体にフォーカスを合わせた画像又は第２の被写体にフォーカスを合わせた画像を１フレームとして抽出する抽出ステップを有することを特徴とする撮像方法。
【請求項６】
被写体からの光に応じて画像信号を出力する画像信号出力ステップと、フォーカスレンズを移動させるフォーカスレンズ制御ステップと、前記画像信号出力ステップから出力された画像信号に基づく画像を記憶する記憶ステップとを用いて画像を取得する撮像方法をコンピュータに実行させるプログラムであって、
前記撮像方法は、
前記フォーカスレンズ制御ステップにより前記フォーカスレンズを予め決められた範囲移動させることで異なる距離にフォーカスを合わせた複数の画像を取得して前記記憶ステップで記憶する記憶動作を周期的に繰り返すとともに、当該記憶してある複数の画像の１周期分から第１の被写体にフォーカスを合わせた画像又は第２の被写体にフォーカスを合わせた画像を１フレームとして抽出する抽出ステップを有することを特徴とするプログラム。
【請求項７】
請求項６記載のプログラムを格納したことを特徴とするコンピュータで読み取り可能な記憶媒体。
【手続補正２】
【補正対象書類名】明細書
【補正対象項目名】００１２
【補正方法】変更
【補正の内容】
【００１２】
上記目的を達成するために、本発明の撮像装置は、被写体からの光に応じて画像信号を出力する画像信号出力手段と、フォーカスレンズを移動させるフォーカスレンズ制御手段と、前記画像信号出力手段からの画像信号に基づく画像を記憶する記憶手段と、前記フォーカスレンズ制御手段により前記フォーカスレンズを予め決められた範囲移動させることで異なる距離にフォーカスを合わせた複数の画像を取得して前記記憶手段に記憶する記憶動作を周期的に繰り返すとともに、当該記憶してある複数の画像の１周期分から第１の被写体にフォーカスを合わせた画像又は第２の被写体にフォーカスを合わせた画像を１フレームとして抽出する抽出手段とを有することを特徴とする。
【手続補正３】
【補正対象書類名】明細書
【補正対象項目名】００１３
【補正方法】変更
【補正の内容】
【００１３】
上記目的を達成するために、本発明の撮像方法は、被写体からの光に応じて画像信号を出力する画像信号出力ステップと、フォーカスレンズを移動させるフォーカスレンズ制御ステップと、前記画像信号出力ステップから出力された画像信号に基づく画像を記憶する記憶ステップとを用いて画像を取得する撮像方法であって、前記フォーカスレンズ制御ステップにより前記フォーカスレンズを予め決められた範囲移動させることで異なる距離にフォーカスを合わせた複数の画像を取得して前記記憶ステップに記憶する記憶動作を周期的に繰り返すとともに、当該記憶してある複数の画像の１周期分から第１の被写体にフォーカスを合わせた画像又は第２の被写体にフォーカスを合わせた画像を１フレームとして抽出する抽出ステップを有することを特徴とする。
【手続補正４】
【補正対象書類名】明細書
【補正対象項目名】００１４
【補正方法】変更
【補正の内容】
【００１４】
上記目的を達成するために、本発明のプログラムは、被写体からの光に応じて画像信号を出力する画像信号出力ステップと、フォーカスレンズを移動させるフォーカスレンズ制御ステップと、前記画像信号出力ステップから出力された画像信号に基づく画像を記憶する記憶ステップとを用いて画像を取得する撮像方法をコンピュータに実行させるプログラムであって、前記撮像方法は、前記フォーカスレンズ制御ステップにより前記フォーカスレンズを予め決められた範囲移動させることで異なる距離にフォーカスを合わせた複数の画像を取得して前記記憶ステップで記憶する記憶動作を周期的に繰り返すとともに、当該記憶してある複数の画像の１周期分から第１の被写体にフォーカスを合わせた画像又は第２の被写体にフォーカスを合わせた画像を１フレームとして抽出する抽出ステップを有することを特徴とする。
【手続補正書】
【提出日】平成21年4月21日(2009.4.21)
【手続補正１】
【補正対象書類名】明細書
【補正対象項目名】００１７
【補正方法】変更
【補正の内容】
【００１７】
また、制御部２１に供給される受信電界強度以外の情報について説明すると、アナログ放送映像復調部１３で復調したアナログ音声変調周波数情報と、輝度信号周波数情報と、色信号周波数情報と、色信号方式情報と、輝度信号極性情報とを制御部２１が取得して、メモリ２２に記憶させる。
また、アナログ放送音声復調部１７から、アナログ音声多重方式情報と、デジタル音声変調周波数情報と、音声変調方式情報とを制御部２１が取得して、メモリ２２に記憶させる。
また、デジタル放送データ復調部１５で復調したデータを、デジタル信号処理部２０で解析した結果から、デジタル放送システム判別情報を制御部２１が取得して、メモリ２２に記憶させる。
また、ブランキング信号処理部１９でブランキング信号情報を解析した結果を制御部２１が取得して、メモリ２２に記憶させる。
【手続補正２】
【補正対象書類名】明細書
【補正対象項目名】００２３
【補正方法】変更
【補正の内容】
【００２３】
図４は、図２のフローチャートのステップＳ１４での音声信号の解析処理の一例を示したものである。音声信号の解析を開始すると（ステップＳ５１）、アナログ音声解析とデジタル音声解析の両方の解析結果を得ることができる。ここでのデジタル音声とは、アナログ放送信号に付加されたデジタル音声信号である。
アナログ音声解析としては、アナログ音声の変調周波数を判別し（ステップＳ５２）、４．５ＭＨｚであった場合は音声多重方式の判別を行う（ステップＳ５４）。その判別結果から、音声系解析結果のアナログ音声の解析結果ＡＡ１を得る。ステップＳ５２での変調周波数の判別で、６．５ＭＨｚの分岐の場合音声変調方式を判別し（ステップＳ５５）、ＦＭ変調であった場合は、次に音声多重方式の判別を行う（ステップＳ５６）。ステップＳ５６での音声多重方式の判別結果から音声系解析結果のアナログ音声の解析結果ＡＡ２を得る。欧州などではアナログ放送にデジタル音声が含まれているので、デジタル音声の変調周波数の判別を行う（ステップＳ５３）。変調周波数が５．８５ＭＨｚの場合は、デジタル音声の解析結果ＡＤ１を得る（ステップＳ５９）。デジタル音声を検出できなかった場合は、Ｓデジタル音声の解析結果ＡＤ２を得る（ステップＳ６０）。
【手続補正書】
【提出日】平成21年6月16日(2009.6.16)
【手続補正１】
【補正対象書類名】明細書
【補正対象項目名】００２１
【補正方法】変更
【補正の内容】
【００２１】
（実施形態）
以下に、この発明の実施形態を、図１〜図３に基づいて説明する。
図１及び図２に示すように、この実施形態のコンデンサマイクロホン２１の筐体２２は、平板状の回路基板２３と、四角枠状の筐体基枠２４と、平板状のトップ基板２５とを積層して、接着剤により一体に固定した構造となっている。前記回路基板２３，筐体基枠２４及びトップ基板２５はエポキシ樹脂、液晶ポリマー、セラミック等の電気絶縁体により構成されている。回路基板２３の上下両面には銅箔等よりなる導電パターン２３ａ，２３ｂが印刷されている。そして、回路基板２３上には、筐体２２内に設けられたインピーダンス変換回路を構成する電界効果トランジスタ２６やキャパシタンス２７等の電装部品が実装されている。前記筐体基枠２４の上下両面及び外側面には銅箔等よりなる連続した導電パターン２４ａ，２４ｂ，２４ｃが印刷され、下面側の導電パターン２４ｂは回路基板２３上のアース端子（図示しない）に電気接続されている。そして、回路基板２３上の前記電界効果トランジスタ２６やキャパシタンス２７等の電装部品が、この筐体基枠２４内に収容配置されている。前記トップ基板２５の上下両面及び外側面には銅箔等よりなる導電パターン２５ａ，２５ｂが印刷されている。トップ基板２５には、外部から音を取り込むための音孔２８が形成されている。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
画像データを記憶するメモリと；
記録部へ印刷することを指示する印刷指示エリアと、上記メモリに記憶されている画像データと描画画像とを合成することを指示する合成指示エリアとを具備し、印刷制御を指示する指示シートを印刷する指示シート印刷手段と；
上記画像データに画像補正処理を行うか否かを判定する判定手段と；
上記画像データに画像補正処理を行う補正手段と；
上記判定手段が画像補正処理を行うと判定すると、画像補正処理を行った画像データを、上記指示シートに印刷する印刷制御手段と；
を有することを特徴とする画像処理装置。
【請求項２】
請求項１において、
上記判定手段は、ユーザが設定した設定値を判定基準として使用する手段であることを特徴とする画像処理装置。
【請求項３】
請求項１において、
上記補正手段は、上記画像データの画像サイズ、解像度、濃度、輝度、彩度、トリミングのうちの少なくとも１つを補正する手段であることを特徴とする画像処理装置。
【請求項４】
画像データを記憶するメモリと；
記録部へ印刷を指示する印刷指示エリアと、上記メモリに記憶されている画像データと描画画像とを合成するための合成指示エリアとを具備し、印刷制御を指示する指示シートを印刷する指示シート印刷手段と；
上記画像データに画像解析処理を行うか否かを判定する解析判定手段と；
上記画像データに画像補正処理を行うか否かを判定する補正判定手段と；
上記解析判定手段が画像解析処理を行うと判定すると、上記画像データに画像解析処理を行った後に、上記指示シートに上記画像データを印刷し、上記補正判定手段が画像補正処理を行うと判定すると、上記画像データに画像補正処理を行った後に、上記指示シートに上記画像データを印刷する印刷制御手段と；
を有することを特徴とする画像処理装置。
【請求項５】
請求項４において、
上記補正判定手段は、上記画像解析処理の結果を判定基準として使用することを特徴とする画像処理装置。
【請求項６】
請求項４において、
上記補正判定手段は、上記画像解析処理の結果と、ユーザが設定した設定値との両方を判定基準として使用することを特徴とする画像処理装置。
【請求項７】
請求項４において、
上記画像解析処理の結果、上記画像補正処理の結果のうちの少なくとも１つの結果を、ユーザに通知する通知手段を有することを特徴とする画像処理装置。
【請求項８】
請求項７において、
上記通知手段は、ＬＣＤによる表示、上記指示シートへの印刷のうちの少なくとも一方によって通知する手段であることを特徴とする画像処理装置。
【請求項９】
記録部へ印刷することを指示する印刷指示エリアと、画像データを記憶するメモリに記憶されている画像データと描画画像とを合成することを指示する合成指示エリアとを具備し、印刷制御を指示する指示シートを印刷する指示シート印刷工程と；
上記画像データに画像補正処理を行うか否かを判定する判定工程と；
上記画像データに画像補正処理を行う補正工程と；
上記判定工程で画像補正処理を行うと判定すると、画像補正処理を行った画像データを、上記指示シートに印刷する印刷制御工程と；
を有することを特徴とする画像処理装置の制御方法。
【請求項１０】
記録部へ印刷を指示する印刷指示エリアと、画像データを記憶するメモリに記憶されている画像データと描画画像とを合成するための合成指示エリアとを具備し、印刷制御を指示する指示シートを印刷する指示シート印刷工程と；
上記画像データに画像解析処理を行うか否かを判定する解析判定工程と；
上記画像データに画像補正処理を行うか否かを判定する補正判定工程と；
上記解析判定工程で画像解析処理を行うと判定すると、上記画像データに画像解析処理を行った後に、上記指示シートに上記画像データを印刷し、上記補正判定工程が画像補正処理を行うと判定すると、上記画像データに画像補正処理を行った後に、上記指示シートに上記画像データを印刷する印刷制御工程と；
を有することを特徴とする画像処理装置の制御方法。
【手続補正２】
【補正対象書類名】明細書
【補正対象項目名】００１４
【補正方法】変更
【補正の内容】
【００１４】
本発明は、画像データを記憶するメモリと、記録部へ印刷することを指示する印刷指示エリアと、上記メモリに記憶されている画像データと描画画像とを合成することを指示する合成指示エリアとを具備し、印刷制御を指示する指示シートを印刷する指示シート印刷手段と、上記画像データに画像補正処理を行うか否かを判定する判定手段と、上記画像データに画像補正処理を行う補正手段と、上記判定手段が画像補正処理を行うと判定すると、画像補正処理を行った画像データを、上記指示シートに印刷する印刷制御手段とを有することを特徴とする画像処理装置である。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
上りリンクにシングルキャリア方式を採用する移動通信システムで使用されるユーザ装置であって、
上りリンクのシステム帯域の低周波数側に第１帯域が配置され、高周波数側に第２帯域が配置されるとともに、第１帯域と第２帯域との間に複数のリソースブロックが配置されており、第１帯域あるいは第２帯域に上り制御チャネルをマッピングするマッピング部と、
前記マッピング部においてマッピングした上り制御チャネルを送信する送信部とを備え、
前記マッピング部は、複数のリソースブロックのうちの少なくともひとつに上りデータチャネルをマッピングし、
前記送信部は、前記マッピング部においてマッピングした上りデータチャネルを送信することを特徴とするユーザ装置。
【請求項２】
前記送信部は、上りデータチャネルと同時に上り制御チャネルを送信しないことを特徴とする請求項１に記載のユーザ装置。
【請求項３】
前記マッピング部が上りデータチャネルをマッピングする場合に制御情報が存在すれば、当該制御情報は上りデータチャネルに含まれ、前記マッピング部が上りデータチャネルをマッピングしない場合に制御信号が存在すれば、当該制御情報は上り制御チャネルに含まれることを特徴とする請求項２に記載のユーザ装置。
【請求項４】
時間軸上に複数のサブフレームが繰り返されるとともに、各サブフレームはふたつの細分期間に分割されており、
前記マッピング部は、ふたつの細分期間の一方において、第１帯域に上り制御チャネルをマッピングし、他方において、第２帯域に上り制御チャネルをマッピングすることを特徴とする請求項１から３のいずれかに記載のユーザ装置。
【請求項５】
前記マッピング部においてマッピングされる上り制御チャネルには、符号多重のための処理がなされていることを特徴とする請求項１から４のいずれかに記載のユーザ装置。
【請求項６】
上りリンクにシングルキャリア方式を採用する移動通信システムのユーザ装置で使用される送信方法であって、
上りリンクのシステム帯域の低周波数側に第１帯域が配置され、高周波数側に第２帯域が配置されるとともに、第１帯域と第２帯域との間に複数のリソースブロックが配置されており、第１帯域あるいは第２帯域に上り制御チャネルをマッピングするステップと、
マッピングした上り制御チャネルを送信するステップとを備え、
前記マッピングするステップは、複数のリソースブロックのうちの少なくともひとつに上りデータチャネルをマッピングし、
前記送信するステップは、マッピングした上りデータチャネルを送信することを特徴とする送信方法。
【請求項７】
前記送信するステップは、上りデータチャネルと同時に上り制御チャネルを送信しないことを特徴とする請求項６に記載の送信方法。
【請求項８】
前記マッピングするステップが上りデータチャネルをマッピングする場合に制御情報が存在すれば、当該制御情報は上りデータチャネルに含まれ、前記マッピングするステップが上りデータチャネルをマッピングしない場合に制御信号が存在すれば、当該制御情報は上り制御チャネルに含まれることを特徴とする請求項７に記載の送信方法。
【請求項９】
時間軸上に複数のサブフレームが繰り返されるとともに、各サブフレームはふたつの細分期間に分割されており、
前記マッピングするステップは、ふたつの細分期間の一方において、第１帯域に上り制御チャネルをマッピングし、他方において、第２帯域に上り制御チャネルをマッピングすることを特徴とする請求項６から８のいずれかに記載の送信方法。
【請求項１０】
前記マッピングするステップにおいてマッピングされる上り制御チャネルには、符号多重のための処理がなされていることを特徴とする請求項６から９のいずれかに記載の送信方法。
【請求項１１】
上りリンクにシングルキャリア方式を採用する移動通信システムであって、
シングルキャリア方式の信号を送信するユーザ装置と、
前記ユーザ装置からの信号を受信する基地局装置とを備え、
前記ユーザ装置は、
上りリンクのシステム帯域の低周波数側に第１帯域が配置され、高周波数側に第２帯域が配置されるとともに、第１帯域と第２帯域との間に複数のリソースブロックが配置されており、第１帯域あるいは第２帯域に上り制御チャネルをマッピングするマッピング部と、
前記マッピング部においてマッピングした上り制御チャネルを送信する送信部とを含み、
前記マッピング部は、複数のリソースブロックのうちの少なくともひとつに上りデータチャネルをマッピングし、
前記送信部は、前記マッピング部においてマッピングした上りデータチャネルを送信することを特徴とする移動通信システム。
【手続補正２】
【補正対象書類名】明細書
【補正対象項目名】発明の名称
【補正方法】変更
【補正の内容】
【発明の名称】移動通信システム、ユーザ装置及び送信方法
【手続補正３】
【補正対象書類名】明細書
【補正対象項目名】０００８
【補正方法】変更
【補正の内容】
【０００８】
一実施例では、上りリンクにシングルキャリア方式を採用する移動通信システムで使用されるユーザ装置が使用される。ユーザ装置は、
上りリンクのシステム帯域の低周波数側に第１帯域が配置され、高周波数側に第２帯域が配置されるとともに、第１帯域と第２帯域との間に複数のリソースブロックが配置されており、第１帯域あるいは第２帯域に上り制御チャネルをマッピングするマッピング部と、
前記マッピング部においてマッピングした上り制御チャネルを送信する送信部とを備え、
前記マッピング部は、複数のリソースブロックのうちの少なくともひとつに上りデータチャネルをマッピングし、
前記送信部は、前記マッピング部においてマッピングした上りデータチャネルを送信することを特徴とするユーザ装置である。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
供給されるボンディングワイヤが突出されるワイヤ穴と、前記ワイヤ穴の第１の側と第２の側に形成され、突出した前記ボンディングワイヤを押し付けるための溝部と、を有したボンディングツールを用いてバンプを形成するバンプ形成方法であって、
前記ワイヤ穴から突出されたボンディングワイヤを第１の方向に折り曲げ、前記ボンディングツールの第１の溝部で押し付ける第１の工程と、
前記ボンディングワイヤを第２の方向に折り曲げ、前記ボンディングツールの第２の溝部で押し付ける第２の工程と、を有することを特徴とするバンプ形成方法。
【請求項２】
前記第１の溝部と前記第２の溝部が、前記ワイヤ穴を挟んで対向するように形成されていることを特徴とする請求項１記載のバンプ形成方法。
【請求項３】
前記第１の溝部と前記第２の溝部の長さが同じであることを特徴とする請求項１または２記載のバンプ形成方法。
【請求項４】
前記溝部に形成された突起部により、前記ボンディングワイヤを切断する工程をさらに有することを特徴とする請求項１乃至３のいずれか１項記載のバンプ形成方法。
【請求項５】
ボンディングワイヤによってバンプを形成するためのボンディングツールであって、
供給される前記ボンディングワイヤが突出されるワイヤ穴と、
前記ワイヤ穴の第１の側と第２の側に形成された、突出した前記ボンディングワイヤを押し付けるための溝部と、を有することを特徴とするボンディングツール。
【請求項６】
前記溝部が、前記ワイヤ穴を挟んで対向するように形成されていることを特徴とする請求項５記載のボンディングツール。
【請求項７】
前記溝部の長さが、前記第１の側と前記第２の側で同じであることを特徴とする請求項５または６記載のボンディングツール。
【請求項８】
前記溝部に、前記ボンディングワイヤを切断するための突起部が形成されていることを特徴とする請求項５乃至７のいずれか１項記載のボンディングツール。
【手続補正２】
【補正対象書類名】明細書
【補正対象項目名】００２２
【補正方法】変更
【補正の内容】
【００２２】
また、本発明の第２の観点では、上記の課題を、供給されるボンディングワイヤが突出されるワイヤ穴と、前記ワイヤ穴の第１の側と第２の側に形成され、突出した前記ボンディングワイヤを押し付けるための溝部と、を有したボンディングツールを用いてバンプを形成するバンプ形成方法であって、前記ワイヤ穴から突出されたボンディングワイヤを第１の方向に折り曲げ、前記ボンディングツールの第１の溝部で押し付ける第１の工程と、前記ボンディングワイヤを第２の方向に折り曲げ、前記ボンディングツールの第２の溝部で押し付ける第２の工程と、を有することを特徴とするバンプ形成方法により、解決する。
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
試料を載置する試料載置台を備えた下部処理室、および処理室内に電界および磁界を供給してプラズマを生成するプラズマ生成手段を備えた上部処理室を備え、前記下部処理室上に上部処理室を載置して真空処理室を形成し、形成された真空処理室の前記試料載置台に載置した試料にプラズマ処理を施す半導体処理装置において、
前記下部処理室の外壁に垂直方向に平行に取り付けた一対のサイドパネルと、該一対のサイドパネルの内側の対向する面のそれぞれに前記サイドパネルと平行に取り付け、それぞれの側面に前記サイドパネルと平行に溝を形成した一対のスライドガイドと、
前記一対のスライドガイドのそれぞれの側面に形成した前記溝のそれぞれと係合する突条と、該突条の前記溝と係合する先端の部分に前記溝の内面上を摺動して転動する複数の
ベアリング玉が内部を循環して移動する通路を備えた昇降ベースとを備えたことを特徴とする半導体処理装置。
【請求項２】
請求項１記載の半導体処理装置において、
前記スライドガイドに形成する溝はＶ状溝であることを特徴とする半導体処理装置。
【請求項３】
請求項１記載の半導体処理装置において、
前記サイドパネルと平行に取り付けたスライドガイドの前記真空処理室側および反真空処理室側の面のそれぞれに、サイドパネルと平行に、前記昇降ベースに形成した突条と係合するＶ状溝を形成したことを特徴とする半導体処理装置。
【請求項４】
試料を載置する試料載置台を備えた下部処理室、および処理室内に電界および磁界を供給してプラズマを生成するプラズマ生成手段を備えた上部処理室を備え、前記下部処理室上に上部処理室を載置して真空処理室を形成し、形成された真空処理室の前記試料載置台に載置した試料にプラズマ処理を施す半導体処理装置において、
前記下部処理室の外壁に垂直方向に平行に取り付けた一対のサイドパネルと、該一対のサイドパネルの内側の対向する面のそれぞれに前記サイドパネルと平行に取り付け、それぞれの側面に前記サイドパネルと平行に溝を形成した一対のスライドガイドと、
前記一対のスライドガイドのそれぞれの側面に形成した前記溝のそれぞれと係合する突条と、該突条と前記溝の係合する部分にベアリング玉を循環して供給する通路を備えた昇降ベースとを備え、前記昇降ベースに前記上部処理室を取り付けて、前記駆動軸を駆動して前記上部処理室を下部処理室に対して開閉駆動することを特徴とする半導体処理装置。
【手続補正２】
【補正対象書類名】明細書
【補正対象項目名】００１０
【補正方法】変更
【補正の内容】
【００１０】
試料を載置する試料載置台を備えた下部処理室、および処理室内に電界および磁界を供給してプラズマを生成するプラズマ生成手段を備えた上部処理室を備え、前記下部処理室上に上部処理室を載置して真空処理室を形成し、形成された真空処理室の前記試料載置台に載置した試料にプラズマ処理を施す半導体処理装置において、
前記下部処理室の外壁に垂直方向に平行に取り付けた一対のサイドパネルと、該一対のサイドパネルの内側の対向する面のそれぞれに前記サイドパネルと平行に取り付け、それぞれの側面に前記サイドパネルと平行に溝を形成した一対のスライドガイドと、
前記一対のスライドガイドのそれぞれの側面に形成した前記溝のそれぞれと係合する突条と、該突条の前記溝と係合する先端の部分に前記溝の内面上を摺動して転動する複数の
ベアリング玉が内部を循環して移動する通路を備えた昇降ベースとを備えた。